(57)【要約】【課題】撮影した画像を容易に検索でき、さらには、通信回線を利用して撮影した画像に関連する情報を容易に入手できる通信端末を提供する。【解決手段】通信端末１００は、撮影機能を備える入力部１０１と、撮影された画像からキーワードとなる文字列を抽出する文字情報抽出部１０３と、前記キーワードが通信相手に接続するために必要な接続先情報（ＵＲＬアドレスや電話番号）を示しているかどうかを判断する接続先決定部１０４と、前記画像を前記キーワードと前記接続先情報と関連づけて管理するための画像情報管理テーブルを生成し、管理する画像情報管理テーブル管理部１０５を有する。以上の構成により生成、管理される前記画像情報管理テーブルを利用することで、画像を容易に検索できる。さらには、画像に関連した情報を提供する通信相手に容易に接続できる。【選択図】　図１
2004005314.tif 000002
【特許請求の範囲】
【請求項１】
伝送路を利用してデータを送受信するデータ検索システムであって、前記データ検索システムの通信端末は、デジタル画像を入力する入力部と、前記入力部で入力されたデジタル画像を記録する画像記録部と、前記デジタル画像が記録される記録媒体と、前記記録媒体に記録されたデジタル画像を読み出し、前記デジタル画像からキーワードとなる文字列を抽出する文字情報抽出部と、前記文字情報抽出部で抽出されたキーワードを解析し、前記キーワードが通信相手に接続するために必要な接続先情報を示しているかどうかを判断する接続先決定部と、前記デジタル画像を前記文字列情報抽出部で抽出されたキーワードと前記接続先決定部で判断された接続先情報と関連づけて管理するための画像情報管理テーブルを生成し、管理する画像情報管理テーブル管理部を有することを特徴とするデータ検索システム。
【請求項２】
伝送路を利用してデータを送受信するデータ検索システムであって、前記データ検索システムの通信端末の入力部は、デジタル画像を撮影するカメラ機能を有していることを特徴とする請求項１記載のデータ検索システム。
【請求項３】
伝送路を利用してデータを送受信するデータ検索システムであって、前記データ検索システムの通信端末の入力部は、デジタル画像を出力する機能を備える情報機器と接続し、前記情報機器から出力されるデジタル画像を入力するインターフェース機能を有していることを特徴とする請求項１記載のデータ検索システム。
【請求項４】
伝送路を利用してデータを送受信するデータ検索システムであって、前記データ検索システムの通信端末は、前記デジタル画像から抽出されたキーワードの一覧を提示する提示部と、前記提示部に提示されたキーワード一覧から何れかのキーワードを選択するユーザ操作を受け付けるユーザ操作部と、選択されたキーワードに対する接続先情報を前記画像情報管理テーブルから取得し、取得した接続先情報を使って、通信相手に接続し、前記通信相手からデータを取得する通信部を有することを特徴とする請求項１乃至３に記載のデータ検索システム。
【請求項５】
伝送路を利用してデータを送受信するデータ検索システムであって、前記データ検索システムの通信端末の前記提示部は、前記画像情報管理テーブルを使って、ユーザから選択されたキーワードと関連づけて管理されているデジタル画像を取得し、取得したデジタル画像と同時に前記通信部が前記通信相手から取得したデータを合わせて提示することを特徴とする請求項４に記載のデータ検索システム。
【請求項６】
伝送路を利用してデータを送受信するデータ検索システムであって、前記データ検索システムの通信端末の前記通信部は、ユーザから選択されたキーワードと関連づけて管理されているデジタル画像と前記通信相手から取得したデータを関連づけて管理するために、前記画像情報管理テーブルに前記データの識別情報を登録することを特徴とする請求項５に記載のデータ検索システム。
【請求項７】
伝送路を利用してデータを送受信するデータ検索システムであって、前記データ検索システムの通信端末において、前記通信相手とはＷＷＷサーバであり、前記接続先情報はＵＲＬアドレスであり、前記通信端末の通信部が取得するデータは前記ＵＲＬアドレスのホームページであることを特徴とする請求項１乃至６に記載のデータ検索システム。
【請求項８】
伝送路を利用してデータを送受信するデータ検索システムであって、前記データ検索システムの通信端末において、前記ユーザ操作部は、ユーザがキー入力した検索文字列を受け付ける機能を有し、さらに、前記画像情報管理テーブルを使って前記検索文字列に適合するキーワードを検索する検索部を有することを特徴とする請求項１乃至７に記載のデータ検索システム。
【請求項９】
伝送路を利用してデータを送受信するデータ検索システムであって、前記データ検索システムの通信端末において、前記文字情報抽出部は、前記デジタル画像から前記キーワードを抽出する時に、キーワードの画像中の位置、またはキーワードの文字サイズの少なくともどちらかを用いて、キーワードの重要度を決定する機能を有し、前記画像情報管理テーブル管理部は、前記キーワードの重要度も管理する機能を有し、さらに、前記検索部は、前記キーワードの重要度に応じて検索結果を提供する機能を有することを特徴とする請求項１乃至８に記載のデータ検索システム。
【請求項１０】
伝送路を利用してデータを送受信するデータ検索システムであって、前記データ検索システムの通信端末において、前記提示部は、前記画像情報管理テーブルを使って、前記検索部の検索結果であるキーワードと関連付けられているデジタル画像を取得し、取得したデジタル画像と同時に検索結果のキーワードを合わせて提示することを特徴とする請求項８または９に記載のデータ検索システム。
【請求項１１】
伝送路を利用してデータを送受信するデータ検索システムであって、前記データ検索システムの通信端末において、前記ユーザ操作部は、前記検索部の検索結果であるキーワードから何れかのキーワードを選択するユーザ操作を受け付け、前記検索部は、選択されたキーワードを検索文字列としてさらに検索することを特徴とする請求項８乃至１０に記載のデータ検索システム。
【請求項１２】
伝送路を利用してデータを送受信するデータ検索システムであって、前記データ検索システムの通信端末において、前記ユーザ操作部は、前記検索部の検索結果であるキーワードから何れかのキーワードを選択するユーザ操作を受け付け、前記通信部は、前記画像情報管理テーブルを使って、前記ユーザ操作部で選択されたキーワードと関連付けられている接続先情報を取得し、取得した接続先情報を使って通信相手に接続することを特徴とする請求項８乃至１０に記載のデータ検索システム。
【請求項１３】
伝送路を利用してデータを送受信するデータ検索システムであって、前記データ検索システムの通信端末とデータの送受信を行うデータベースサーバにおいて、前記通信端末から前記画像情報管理テーブルと前記画像情報管理テーブルにより管理されているデジタル画像を受信し、データベースに登録する登録部と、前記通信端末から検索文字列を受信し、前記検索文字列に適合するキーワードを前記データベースに登録されている画像情報管理テーブルを使って検索する検索部を有し、検索結果のキーワードを前記通信端末に送信することを特徴とする請求項１１記載のデータ検索システム。
【請求項１４】
伝送路を利用してデータを送受信するデータ検索システムであって、前記データ検索システムの通信端末とデータの送受信を行うデータベースサーバにおいて、前記検索部は、前記通信端末から検索文字列を受信し、前記検索文字列に適合するキーワードおよび前記キーワードに関連付けられているデジタル画像を、前記データベースに登録されている画像情報管理テーブルを使って検索し、検索結果のキーワードとデジタル画像を前記通信端末に送信することを特徴とする請求項１１記載のデータ検索システム。
【請求項１５】
伝送路を利用してデータを送受信するデータ検索システムであって、前記データ検索システムの通信端末において、前記通信部は、前記画像情報管理テーブルおよび前記画像情報管理テーブルにより管理されているデジタル画像を前記データベースサーバに送信する機能を有することを特徴とする請求項１乃至１２のデータ検索システム。
【請求項１６】
伝送路を利用してデータを送受信するデータ検索システムであって、前記データ検索システムの通信端末において、前記ユーザ操作部は、ユーザがキー入力した検索文字列を受け付ける機能を有し、前記通信部は、前記検索文字列を前記データベースサーバに送信し、さらに、前記検索文字列に基づいて検索されたキーワードとデジタル画像を前記データベースサーバから受信する機能を有し、前記提示部は、受信したキーワードとデジタル画像を提示する機能を有することを特徴とする請求項１乃至１２のデータ検索システム。
【請求項１７】
伝送路を利用してデータを送受信するデータ検索方法であって、前記データ検索のためにデータを送受信する通信端末は、デジタル画像を撮影するステップと、撮影されたデジタル画像からキーワードとなる文字列を抽出するステップと、抽出されたキーワードを解析し、前記キーワードが通信相手に接続するために必要な接続先情報を示しているかどうかを判断するステップと、前記デジタル画像を前記キーワードと前記接続先情報と関連づけて管理するための画像情報管理テーブルを生成するステップとを有することを特徴とする通信方法。
【請求項１８】
伝送路を利用してデータを送受信するデータ検索方法であって、前記データ検索のためにデータを送受信する通信端末は、前記デジタル画像から抽出されたキーワードの一覧を提示するステップと、提示されたキーワード一覧から何れかのキーワードを選択するユーザ操作を受け付けるステップと、選択されたキーワードに対する接続先情報を前記画像情報管理テーブルから取得するステップと、取得した接続先情報を使って、通信相手に接続し、前記通信相手からデータを取得するステップとを有することを特徴とする請求項１７に記載の通信方法。
【請求項１９】
伝送路を利用してデータを送受信するデータ検索方法であって、前記データ検索のためにデータを送受信する通信端末は、ユーザがキー入力した検索文字列を受け付けるステップと、前記画像情報管理テーブルを使って前記検索文字列に適合するキーワードを検索するステップと、前記キーワードと関連付けられているデジタル画像を取得し、提示するステップとを有することを特徴とする請求項１７または１８に記載の通信方法。
【請求項２０】
伝送路を利用してデータを送受信するデータ検索方法であって、前記データ検索のためにデータを送受信する通信端末は、前記デジタル画像からキーワードとなる文字列を抽出する時に、前記キーワードの画像中の位置、または前記キーワードの文字サイズの少なくともどちらかを用いて、キーワードの重要度を決定し、前記画像情報管理テーブルに前記キーワードの重要度を記録するステップと、さらに、ユーザがキー入力した検索文字列に適合するキーワードを検索する時に、前記キーワードの重要度に応じて検索結果を提供するステップとを有することを特徴とする請求項１７乃至１９に記載の通信方法。
【請求項２１】
伝送路を利用してデータを送受信するデータ検索方法であって、前記データ検索のためにデータを管理するデータベースサーバは、前記通信端末から前記画像情報管理テーブルと前記画像情報管理テーブルにより管理されているデジタル画像を受信し、データベースに登録するステップと、前記通信端末から検索文字列を受信し、前記検索文字列に適合するキーワードおよび前記キーワードに関連付けられているデジタル画像を前記データベースに登録されている画像情報管理テーブルを使って検索するステップと、検索結果のキーワードとデジタル画像を前記通信端末に送信するステップとを有することを特徴とする請求項１７記載の通信方法。
【請求項２２】
伝送路を利用してデータを送受信するデータ検索プログラムを記録した記録媒体であって、前記データ検索のためにデータを送受信する通信端末は、デジタル画像を撮影するステップと、撮影されたデジタル画像からキーワードとなる文字列を抽出するステップと、抽出されたキーワードを解析し、前記キーワードが通信相手に接続するために必要な接続先情報を示しているかどうかを判断するステップと、前記デジタル画像を前記キーワードと前記接続先情報と関連づけて管理するための画像情報管理テーブルを生成するステップとを有することを特徴とするデータ検索プログラムを記録した記録媒体。
【請求項２３】
伝送路を利用してデータを送受信するデータ検索プログラムを記録した記録媒体であって、前記データ検索のためにデータを送受信する通信端末は、前記デジタル画像から抽出されたキーワードの一覧を提示するステップと、提示されたキーワード一覧から何れかのキーワードを選択するユーザ操作を受け付けるステップと、選択されたキーワードに対する接続先情報を前記画像情報管理テーブルから取得するステップと、取得した接続先情報を使って、通信相手に接続し、前記通信相手からデータを取得するステップとを有することを特徴とする請求項２２に記載のデータ検索プログラムを記録した記録媒体。
【請求項２４】
伝送路を利用してデータを送受信するデータ検索プログラムを記録した記録媒体であって、前記データ検索のためにデータを送受信する通信端末は、ユーザがキー入力した検索文字列を受け付けるステップと、前記画像情報管理テーブルを使って前記検索文字列に適合するキーワードを検索するステップと、前記キーワードと関連付けられているデジタル画像を取得し、提示するステップとを有することを特徴とする請求項２２または２３に記載のデータ検索プログラムを記録した記録媒体。
【請求項２５】
伝送路を利用してデータを送受信するデータ検索プログラムを記録した記録媒体であって、前記データ検索のためにデータを送受信する通信端末は、前記デジタル画像からキーワードとなる文字列を抽出する時に、前記キーワードの画像中の位置、または前記キーワードの文字サイズの少なくともどちらかを用いて、キーワードの重要度を決定し、前記画像情報管理テーブルに前記キーワードの重要度を記録するステップと、さらに、ユーザがキー入力した検索文字列に適合するキーワードを検索する時に、前記キーワードの重要度に応じて検索結果を提供するステップとを有することを特徴とする請求項２２乃至２４に記載のデータ検索プログラムを記録した記録媒体。
【請求項２６】
伝送路を利用してデータを送受信するデータ検索プログラムを記録した記録媒体であって、前記通信方法においてデータを管理するデータベースサーバは、前記データ検索のためにデータを送受信する通信端末から前記画像情報管理テーブルと前記画像情報管理テーブルにより管理されているデジタル画像を受信し、データベースに登録するステップと、前記通信端末から検索文字列を受信し、前記検索文字列に適合するキーワードおよび前記キーワードに関連付けられているデジタル画像を前記データベースに登録されている画像情報管理テーブルを使って検索するステップと、検索結果のキーワードとデジタル画像を前記通信端末に送信するステップとを有することを特徴とする請求項２２記載のデータ検索プログラムを記録した記録媒体。
【請求項２７】
伝送路を利用してデータを送受信するデータ検索プログラムであって、前記データ検索のためにデータを送受信する通信端末は、デジタル画像を撮影するステップと、撮影されたデジタル画像からキーワードとなる文字列を抽出するステップと、抽出されたキーワードを解析し、前記キーワードが通信相手に接続するために必要な接続先情報を示しているかどうかを判断するステップと、前記デジタル画像を前記キーワードと前記接続先情報と関連づけて管理するための画像情報管理テーブルを生成するステップとを、コンピュータに実行させるための通信プログラム。
【請求項２８】
伝送路を利用してデータを送受信するデータ検索プログラムであって、前記データ検索のためにデータを送受信する通信端末は、前記デジタル画像から抽出されたキーワードの一覧を提示するステップと、提示されたキーワード一覧から何れかのキーワードを選択するユーザ操作を受け付けるステップと、選択されたキーワードに対する接続先情報を前記画像情報管理テーブルから取得するステップと、取得した接続先情報を使って、通信相手に接続し、前記通信相手からデータを取得するステップとを、コンピュータに実行させるための請求項２７に記載の通信プログラム。
【請求項２９】
伝送路を利用してデータを送受信するデータ検索プログラムであって、前記データ検索のためにデータを送受信する通信端末は、ユーザがキー入力した検索文字列を受け付けるステップと、前記画像情報管理テーブルを使って前記検索文字列に適合するキーワードを検索するステップと、前記キーワードと関連付けられているデジタル画像を取得し、提示するステップとを、コンピュータに実行させるための請求項２７または２８に記載の通信プログラム。
【請求項３０】
伝送路を利用してデータを送受信するデータ検索プログラムであって、前記データ検索のためにデータを送受信する通信端末は、前記デジタル画像からキーワードとなる文字列を抽出する時に、前記キーワードの画像中の位置、または前記キーワードの文字サイズの少なくともどちらかを用いて、キーワードの重要度を決定し、前記画像情報管理テーブルに前記キーワードの重要度を記録するステップと、さらに、ユーザがキー入力した検索文字列に適合するキーワードを検索する時に、前記キーワードの重要度に応じて検索結果を提供するステップとを、コンピュータに実行させるための請求項２７乃至２９に記載の通信プログラム。
【請求項３１】
伝送路を利用してデータを送受信するデータ検索プログラムであって、前記通信プログラムにおいてデータを管理するデータベースサーバは、前記通信端末から前記画像情報管理テーブルと前記画像情報管理テーブルにより管理されているデジタル画像を受信し、データベースに登録するステップと、前記通信端末から検索文字列を受信し、前記検索文字列に適合するキーワードおよび前記キーワードに関連付けられているデジタル画像を前記データベースに登録されている画像情報管理テーブルを使って検索するステップと、検索結果のキーワードとデジタル画像を前記通信端末に送信するステップとを、コンピュータに実行させるための請求項２７記載の通信プログラム。
【請求項３２】
伝送路を利用してデータを送受信するデータ検索システムであって、前記データ検索システムの通信端末は、取得した画像データから、他の情報を検索するための検索キーデータを取り出す検索キーデータ抽出部と、前記検索キーデータにパターンマッチングさせて接続先を決定させる検索キー予約データを蓄積する検索キー予約データ蓄積部と、前記検索キーデータと前記検索キー予約データとから、接続先を決定し、接続する自動検索接続部とを有することを特徴とするデータ検索システム。
【請求項３３】
伝送路を利用してデータを送受信するデータ検索システムであって、前記データ検索システムの通信端末は、画像データを取得し、蓄積する画像データ蓄積部と、前記画像データと前記検索キーデータとを関連付けた画像検索キー関連データを生成し、管理する画像検索キー関連データ管理部と、前記画像検索キー関連データを使って、ユーザにサービスを提供するサービス提供部とを有することを特徴とする請求項３２記載のデータ検索システム。
【請求項３４】
伝送路を利用してデータを送受信するデータ検索システムであって、前記データ検索システムの通信端末は、前記画像検索キー関連データを、サーバにアップロードし、他のユーザに利用可能にする画像検索キー関連データ提供部を有することを特徴とする請求項３３記載のデータ検索システム。
【請求項３５】
伝送路を利用してデータを送受信するデータ検索システムであって、前記データ検索システムの通信端末は、通信端末が存在する場所を示す位置データを検出する位置データ検出部を有し、前記サービス提供部における処理に使うことを特徴とする請求項３３記載のデータ検索システム。
【請求項３６】
伝送路を利用してデータを送受信するデータ検索システムであって、前記データ検索システムの通信端末は、ユーザが画像を入力することができる画像入力部を有することを特徴とする請求項３３記載のデータ検索システム。
【請求項３７】
伝送路を利用してデータを送受信するデータ検索システムであって、前記データ検索システムの通信端末は、前記画像データに表示されているオブジェクトを分析し、前記検索キーデータ抽出部で取り出す検索キーデータの重要度を判別する画像解析検索部を有し、前記画像検索キー関連データ管理部において、前記画像検索キー関連データを生成する時に、前記画像解析検索部における判別結果を使うことを特徴とする請求項３３記載のデータ検索システム。
【請求項３８】
伝送路を利用してデータを送受信するデータ検索システムであって、前記データ検索システムの通信端末は、取得した画像データから、他の情報に接続するための接続先データを取り出す接続先データ抽出部と、前記接続先データを使って、他のデータベースに接続するデータアクセス部とを有することを特徴とする請求項３３記載のデータ検索システム。
【請求項３９】
伝送路を利用してデータを送受信するデータ検索システムであって、前記データ検索システムの通信端末は、画像データを取得し、蓄積する画像データ蓄積部と、前記画像データと前記接続先データとを関連付けた画像検索関連データを生成し、管理する画像検索関連データ管理部と、前記画像検索関連データを使って、ユーザにサービスを提供するサービス提供部とを有することを特徴とする請求項３８記載のデータ検索システム。
【請求項４０】
伝送路を利用してデータを送受信するデータ検索システムであって、前記データ検索システムの通信端末は、前記画像検索関連データを、サーバにアップロードし、他のユーザに利用可能にする画像検索関連データ提供部を有することを特徴とする請求項３９記載のデータ検索システム。
【請求項４１】
伝送路を利用してデータを送受信するデータ検索システムであって、前記データ検索システムの通信端末は、通信端末が存在する場所を示す位置データを検出する位置データ検出部を有し、前記サービス提供部における処理に使うことを特徴とする請求項３９記載のデータ検索システム。
【請求項４２】
伝送路を利用してデータを送受信するデータ検索システムであって、前記データ検索システムの通信端末は、ユーザが画像を入力することができる画像入力部を有することを特徴とする請求項３９記載のデータ検索システム。
【請求項４３】
伝送路を利用してデータを送受信するデータ検索システムであって、前記データ検索システムの通信端末は、前記画像データに表示されているオブジェクトを分析し、前記接続先データ抽出部で取り出す検索キーデータの重要度を判別する画像解析接続部を有し、前記画像検索関連データ管理部において、前記画像検索関連データを生成する時に、前記画像解析接続部における判別結果を使うことを特徴とする請求項３９記載のデータ検索システム。
【請求項４４】
伝送路を利用してデータを送受信するデータ検索方法であって、前記データ検索のためにデータを送受信する通信端末は、画像データを取得するステップと、前記取得した画像データから他の情報を検索するための検索キーデータを取り出すステップと、前記検索キーデータにパターンマッチングさせて接続先を決定させる検索キー予約データを蓄積するステップと、前記検索キーデータと前記検索キー予約データとから、接続先を決定し、接続するステップとを有することを特徴とするデータ検索方法。
【請求項４５】
伝送路を利用してデータを送受信するデータ検索プログラムを記録した記録媒体であって、前記データ検索のためにデータを送受信する通信端末は、画像データを取得するステップと、前記取得した画像データから他の情報を検索するための検索キーデータを取り出すステップと、前記検索キーデータにパターンマッチングさせて接続先を決定させる検索キー予約データを蓄積するステップと、前記検索キーデータと前記検索キー予約データとから、接続先を決定し、接続するステップとを有することを特徴とするデータ検索プログラムを記録した記録媒体。
【請求項４６】
伝送路を利用してデータを送受信するデータ検索プログラムであって、前記データ検索のためにデータを送受信する通信端末は、画像データを取得するステップと、前記取得した画像データから他の情報を検索するための検索キーデータを取り出すステップと、前記検索キーデータにパターンマッチングさせて接続先を決定させる検索キー予約データを蓄積するステップと、前記検索キーデータと前記検索キー予約データとから、接続先を決定し、接続するステップとを、コンピュータに実行させるためのデータ検索プログラム。
【発明の詳細な説明】
【０００１】
【発明の属する技術分野】
本発明は、特に撮影した画像から文字情報を抽出し、抽出した文字情報を利用して画像を管理したり、適切な通信先に接続するためのカメラ付き移動体通信端末に関するものである。
【０００２】
【従来の技術】
従来、携帯電話等の移動体通信端末があまり普及しておらず、外出先でホームページを見ることなどは容易にできなかったため、自宅等に帰った後で、固定端末でホームページにアクセスしたり、データを送受信するなどする必要があるという手間をかけていた。
【０００３】
【発明が解決しようとする課題】
ところが、近年、以下のようになっている。
【０００４】
（１）近年、無線インターネットに対応した携帯電話やＰＤＡなどの移動体通信端末が一般化され、利用者は外出先で見つけたインターネットホームページにその場でアクセスすることが可能となった。
【０００５】
（２）また、デジタルカメラを移動体通信端末と接続して、撮影した画像を無線インターネットを利用して第三者に送信したり、サーバーにアップロードしたりすることが可能となった。
【０００６】
前記（１）の移動体端末では、街中の看板や電車の中吊り広告に記載されているＵＲＬアドレスのホームページを閲覧するために、まずＵＲＬアドレスを紙に書き写し、移動体端末に付属されているＷＷＷブラウザを起動し、書き写したＵＲＬアドレスをキーボードやその他の入力装置を用いてＷＷＷブラウザに入力する必要があり、その場ですぐにホームページを閲覧するには使い勝手が悪いという課題を有している。
【０００７】
また、前記（２）の従来のデジタルカメラでは、利用者は撮影した画像を後で容易に検索可能な様に、「撮影場所」や「コメント」を入力しておくことも多いが、その際に利用者がキーボードやその他の入力装置を用いて手動で入力する必要があり、手間がかかるという課題を有している。また、利用者が入力する「コメント」は、撮影した本人ならば容易に想起できても、第三者がこれを手がかりに画像を検索するには必ずしても適切ではない場合がある。そのため、複数の個人が公開した膨大な画像の中から所望の画像を検索するような用途には適さないという課題を有している。
【０００８】
本発明の目的は、デジタル画像からキーワードとなる文字列（例えば看板に記載されている会社名、住所、ＵＲＬアドレス、電話番号等）を抽出し、これを利用してデジタル画像を容易に検索したり、通信相手先に接続して容易に詳細情報を入手したり、さらには、撮影した画像を第三者と容易に共有できる通信端末を提供することである。
【０００９】
【課題を解決するための手段】
以上の課題を解決するために、
第１に本発明の通信端末は、前記通信端末に入力されるデジタル画像からキーワードとなる文字列を抽出する文字列抽出部と、前記文字列情報抽出部で抽出されたキーワードを解析し、前記キーワードが通信相手に接続するために必要な接続先情報を示しているかどうかを判断する接続先決定部と、前記デジタル画像と前記文字列情報抽出部で抽出されたキーワードと前記接続先決定部で判断された接続先情報とを関連付けて管理するための画像情報管理テーブルを生成、管理する画像情報管理テーブル管理部と、前記接続先決定部で決定された接続先に無線あるいは有線の手段を用いて接続し、データを送受信するための通信部とを有することを特徴とする。
【００１０】
これにより、前記画像情報管理テーブルを使って、入力されたデジタル画像を画像から抽出されるキーワード、さらには、ＵＲＬアドレスや電話番号などの接続先情報と関連付けて管理することができる。さらには、前記通信端末がＧＰＳ信号を用いた位置検出機能を有する場合においては、撮影場所を前記画像情報管理テーブルに登録するようにし、撮影場所とも関連づけて管理することも可能となる。
【００１１】
そして、前記画像情報管理テーブルと接続先決定部によってキーワードに関連付けられた接続先、例えばＵＲＬアドレスのホームページや電話番号先などに容易に接続し、データを取得することができる。
【００１２】
第２に本発明の通信端末は、ユーザがキー入力した検索文字列を受け付けるユーザ操作部と、前記画像情報管理テーブルを使って前記検索文字列に適合するキーワードを検索する検索部を有する。さらに、前記キーワードと関連付けられているデジタル画像を取得し、提示する提示部を有することを特徴とする。
【００１３】
これにより、前記画像情報管理テーブルによって関連付けられたキーワードに基づいて、デジタル画像を容易に検索することができる。
【００１４】
第３に本発明の通信端末とデータを送受信するデータサーバは、前記通信端末から前記画像情報管理テーブルと前記画像情報管理テーブルにより管理されているデジタル画像を受信し、データベースに登録する登録部と、前記通信端末から検索文字列を受信し、前記検索文字列に適合するキーワード及び前記キーワードに関連付けられているデジタル画像を前記データベースに登録されている画像情報管理テーブルを使って検索する検索部を有し、検索結果のキーワードとデジタル画像を前記通信端末に送信することを特徴とする。
【００１５】
これにより、画像を撮影したユーザ以外の他のユーザも、前記画像情報管理テーブルに関連づけられたキーワードに基づいて、デジタル画像を容易に検索、取得して閲覧でき、複数のユーザ間で画像を容易に共有することができる。
【００１６】
【発明の実施の形態】
（実施の形態１）
以下、本発明の実施の形態について、図面を用いて詳細に説明する。
【００１７】
図１は、本発明のデジタル画像から抽出したキーワード（文字情報）を利用して通信を行うデータ検索システムの構成を示す機能ブロック図の一例を示した図である。
図１において、
１００は、携帯通信端末、
１０１は、画像が入力される入力部、
１０２は、１０１で取得した画像を記録するための画像記録部、
１０３は、１０１で取得した画像からキーワードを抽出するための文字情報抽出部、
１０４は、１０３で抽出されたキーワードと予め設定されている予約語とを比較し、適合した予約語に基づいて接続先を決定する接続先決定部、
１０５は、１０２で記録された画像とその画像に関連する情報、１０３で取得されたキーワード、１０４で決定された接続先アドレスとを関連付け、画像情報管理テーブルを作成する画像情報管理テーブル管理部、
１０６は、１０５でキーワードに関連付けられた接続先に対して無線または有線の通信回線を利用して接続し、接続先とデータを送受信する通信部、
１０７は、１０２に記録された画像、１０３で抽出されたキーワード、１０４で決定された接続先アドレス、１０５で作成された画像情報管理テーブル、１０６で取得したデータを記録するための記録媒体、
１０８は、ユーザからの操作を１０２〜１０６に伝達するためのユーザ操作部、
１０９は、１０２に記録された画像、１０３で抽出されたキーワード、１０４で決定された接続先アドレス、１０５で作成された画像情報管理テーブル、１０６で取得したデータ、１０７に記録されたデータを画面に表示するための提示部、
１１０は、１０１〜１０６の内部処理部と１０７〜１０８の外部装置との連結を行うシステムバス、
を示している。
【００１８】
本実施の形態では、ユーザ携帯端末等から画像データを取り込み、その画像データからインターネット等で接続できるようにキーワードになる文字情報等を抽出し、分析することにより、接続先を決定している。
【００１９】
なお、入力部１０１は入力部自身がカメラであってもよいし、外部からの画像（インターネットの画像や外部の記録装置に保存されている画像など）を取得するインターフェイスであってもよい。
【００２０】
図２は、本実施の形態におけるデータ検索システムにおける、画像情報管理テーブル管理部１０５が生成する画像情報管理テーブル図の一例である。
【００２１】
図２において、入力部１０１において取得した画像と画像を取得した日時、文字情報抽出部１０３において抽出したキーワード、接続先決定部１０４において決定された接続先とを関連付けてテーブルとして記録する。なお、一枚の画像内に複数のキーワードが存在するときはキーワードの数だけテーブルが作成される。
【００２２】
図３は、本発明のデジタル画像から抽出したキーワードを利用して通信を行う携帯通信端末装置において、入力部１０１で取得した画像からキーワードを抽出するまでの流れを示したフローチャートであり、図１、図２と合わせて、以下、その動作を説明する。
【００２３】
ステップ１−１）処理開始（図３のＳ３０１）。
【００２４】
ステップ１−２）入力部１０１において画像を取得する（図３のＳ３０２）。
【００２５】
ステップ１−３）ステップ１−２）が実行された日時を取得する（図３のＳ３０３）。
【００２６】
ステップ１−４）ステップ１−２〜３）で取得した画像と取得日時のデータを画像記録部１０２に記録する（図３のＳ３０４）。
【００２７】
ステップ１−５）ステップ１−４）で記録した画像からキーワードを抽出する。画像内に複数のキーワードが存在する場合は、キーワードの数だけリストを作成する。（図３のＳ３０５）。
【００２８】
ステップ１−６）キーワードリストの先頭のエントリを取得する（図３のＳ３０６）。
【００２９】
ステップ１−７）予め設定されている予約語とキーワードとを比較する（図３のＳ３０７）。
【００３０】
ステップ１−８）キーワードがホームページアドレスを示す予約語（「ｈｔｔｐ：／／」、「ｗｗｗ」、「．ｃｏｍ」など）を含んでいるかをチェックし、含んでいる場合はステップ１−９）を処理する。含んでいない場合はステップ１−１０）を処理する（図３のＳ３０８）。
【００３１】
ステップ１−９）キーワードの接続先はホームページアドレスであると決定し、ステップ１−１３）を処理する（図３のＳ３０９）。
【００３２】
ステップ１−１０）キーワードが電話番号を示す予約語（「電話番号」、「Ｔｅｌ」など）を含んでいるかをチェックし、含んでいる場合はステップ１−１１）を処理する。含んでいない場合はステップ１−１２）を処理する（図３のＳ３１０）。
【００３３】
ステップ１−１１）キーワードの接続先は電話番号であると決定し、ステップ１−１３）を処理する（図３のＳ３１１）。
【００３４】
ステップ１−１２）キーワードの接続先はその他であると決定し、ステップ１−１３）を処理する（図３のＳ３１２）。
【００３５】
ステップ１−１３）ステップ１−４）で画像記録部１０２に記録されたデータとステップ１−７〜１２）で決定された接続先を画像情報管理テーブルに書き込み、記録媒体１０７に記録する（図３のＳ３１３）。
【００３６】
ステップ１−１４）キーワードリストの最後であるかをチェックし、最後であるならステップ１−１６）を処理する。最後でなければステップ１−１５）を処理する（図３のＳ３１４）。
【００３７】
ステップ１−１５）キーワードリストの次のエントリを取得し、ステップ１−７）に戻る（図３のＳ３１５）。
【００３８】
ステップ１−１６）処理終了（図３のＳ３１６）。
【００３９】
以上の処理により、入力部１０１で取得した画像から文字抽出部１０３においてキーワードを抽出し、抽出されたキーワードから接続先決定部１０４において最適な接続先が決定され、画像情報管理テーブル管理部において画像情報管理テーブルに画像、キーワード、接続先情報、取得日時、必要であればコメントを関連付けることができる。
【００４０】
なお、ここでは予約語はホームページアドレスと電話番号のみであったが、他の予約語を追加することも可能である。例えば、国際標準図書番号（ＩＳＢＮ）を予約語として追加し、接続先をＩＳＢＮに対応する書籍情報を有するＩＳＢＮ検索サーバとして予め設定しておけば、キーワードがＩＳＢＮであったときは自動的にＩＳＢＮ検索サーバに接続し、ＩＳＢＮに対応した書籍情報を取得することができる。
【００４１】
図４は、本発明のデジタル画像から抽出したキーワードを利用して通信を行う携帯通信端末装置において図３の処理によって記録媒体１０６に保存された画像情報管理テーブルからキーワードに適した通信先を決定し、接続するまでの流れを示したフローチャートであり、図１、２と合わせて、以下、その動作を説明する。
【００４２】
ステップ２−１）処理開始（図４のＳ４０１）。
【００４３】
ステップ２−２）ユーザ操作部１０８からの要求に対して、記録媒体１０７から画像情報管理テーブルを呼び出す（図４のＳ４０２）。
【００４４】
ステップ２−３）ユーザ操作部１０８を通じて、画像情報管理テーブルから接続したいキーワードを選択する（図４のＳ４０３）。
【００４５】
ステップ２−４）画像情報管理テーブルから、選択されたキーワードに対応した接続先を呼び出す（図４のＳ４０４）。
【００４６】
ステップ２−５）呼び出された接続先はホームページアドレスであるかをチェックし、ホームページアドレスである場合はステップ２−６）を処理する。ホームページアドレスでない場合はステップ２−８）を処理する（図４のＳ４０５）。
【００４７】
ステップ２−６）通信部１０６よりインターネットに接続する（図４のＳ４０６）。
【００４８】
ステップ２−７）キーワードをホームページアドレスとしてアドレス先のホームページのデータを取得し、ステップ２−１３）を処理する（図４のＳ４０７）。
【００４９】
ステップ２−８）呼び出された接続先は電話番号であるかをチェックし、電話番号である場合はステップ２−９）を処理する。電話番号でない場合はステップ２−１１）を処理する（図４のＳ４０９）。
【００５０】
ステップ２−９）通信部１０６よりキーワードを電話番号として電話をかける（図４のＳ４０９）。
【００５１】
ステップ２−１０）通話を開始し、ステップ２−１５）を処理する（図４のＳ４１０）。
【００５２】
ステップ２−１１）通信部１０６よりインターネットに接続する（図４のＳ４１１）
ステップ２−１２）予め設定されたインターネット検索サーバに接続し、キーワードを検索サーバに送信し、ステップ２−１３）を処理する（図４のＳ４１２）。
【００５３】
ステップ２−１３）接続先から受信した情報を画像情報管理テーブルの接続先の情報に記録する（図４のＳ４１３）。
【００５４】
ステップ２−１４）接続先から受信した情報を提示部１０９に出力する（図４のＳ４１４）。
【００５５】
ステップ２−１５）処理終了（図４のＳ４１５）。
【００５６】
以上の処理により、記録媒体１０７に保存された画像情報管理テーブルからキーワードに対応した接続先に自動的に接続し、接続先のデータを記録またはユーザに提示することができる。
【００５７】
以上のように本実施の形態によるデジタル画像から抽出したキーワードを利用して通信を行う携帯通信端末装置において、取得したデジタル画像から自動的にキーワードを抽出し、キーワードと予約語から接続先を自動的に決定するため、例えば、ユーザが街でホームページアドレスや電話番号が書かれた看板を見つけたとき、カメラでその看板を写すだけで看板に書かれたホームページアドレスや電話番号に直接アクセスすることができ、ユーザがホームページアドレスや電話番号を書き写したり覚えたりといった手間が省けるという効果が得られる。
【００５８】
さらに、本実施の形態の例では、接続先はホームページアドレスと電話番号、検索サーバしか挙げていないが、前述のようにキーワードがＩＳＢＮならばＩＳＢＮ検索サーバにアクセスし、ＩＳＢＮに対応した書籍情報を取得することも可能である。
【００５９】
さらに、カメラで写した読み方の解らない漢字や、意味の解らない英単語などをキーワードとして、辞書サーバにアクセスし、漢字の読み方や英単語の意味などを調べることも可能である。
【００６０】
このように、キーワードに対応した予約語を予め設定しておくことによってキーワードごとに適切な接続先に自動的に接続してくれるため、ユーザ自らがキーワードごとに接続先を探すという手間を省く効果が得られる。
【００６１】
さらに、画像とキーワードを関連付けて記録するため、のちにキーワードを呼び出したとき、同時に画像も見ることができるため、いつどこで取得したキーワードであるかを容易に想起することができるという効果が得られる。
【００６２】
（実施の形態２）
図５は、本発明のデジタル画像から抽出したキーワード（文字情報）を利用して通信を行うデータ検索システムの構成図の一例を示した図である。
図５において、
５００は、携帯通信端末、
５０１は、画像が入力される入力部、
５０２は、画像を記録するための画像記録部、
５０３は、５０１で取得した画像からキーワードを抽出するための文字情報抽出部、
５０４は、５０３で抽出されたキーワードと予め設定されている予約語とを比較し、適合した予約語から接続先を決定する接続先決定部、
５０５は、５０２で記録された画像とその画像に関連する情報、５０３で取得されたキーワード、５０４で決定された接続先とを関連付ける画像情報管理テーブル管理部、
５０６は、５０４で決定された接続先に接続する通信部、
５０７は、５０２〜５０６、５１１の出力データを記録するための記録媒体、
５０８は、ユーザからの操作を５０２〜５０６、５１１に伝達するユーザ操作部、
５０９は、５０２〜５０６、５１１の処理結果を出力する提示部、
５１０は、５０１〜５０６、５１１，５１２の内部処理部と５０７〜５０９、５１３の外部装置との連結を行うシステムバス、
５１１は、全地球測位システム（ＧＰＳ）から送出されるＧＰＳ信号を利用して、データ受信装置の現在位置を示す現在位置データを求めることができる位置検出部、
５１２は、前記現在位置データと対応した住所や地図などの位置情報が記憶されている位置情報記憶部、
５１３は、前記画像情報管理テーブルから目的の情報を検索する検索部、
を示している。
【００６３】
本実施の形態では、ユーザ携帯端末等から画像データを取り込み、その画像データからインターネット等で接続できるようにキーワードになる文字情報等を抽出し、分析するとともに、携帯通信端末等の位置データを検出し、その位置データを使って、上記抽出した文字情報等の中で重要なものを取り出して、接続先を決定している。
【００６４】
なお、位置情報記憶部５１２は通信端末内にある場合と、インターネットサーバ上にある場合があり、インターネットサーバ上にある場合は通信部５０６を使用して位置情報を取得する。
【００６５】
さらに、位置検出部５１１は入力部５０１が画像を取得したときに現在位置データを取得する。
【００６６】
図６は、撮影された２枚の画像の一例であり、前記実施の形態１と同様の処理により、画像情報管理テーブルが作成されるが、ここで、文字情報抽出部５０３によってキーワードを抽出する際に、画像の中心近くに位置するキーワードの重要度を高く、逆に、画像の中心から離れて位置しているキーワードの重要度を低く設定して、画像情報管理テーブルに記録する。図６の例では、図６のＰｈｏｔｏ１には文字列のキーワードとして「株式会社ＡＢＣ」が存在しており、文字列の位置も画像のほぼ中心に位置しているので重要度を高く設定する。また、図６のＰｈｏｔｏ２には文字列のキーワードとして「ＸＹＺ商店」と「株式会社ＡＢＣ」が存在しているが、「ＸＹＺ商店」の重要度は高く、「株式会社ＡＢＣ」の重要度は低く設定する。これは、利用者が気に入った被写体を撮影する時、その被写体を画像の中央にもってくるという行動を利用して、画像の特徴をより的確に表すキーワードとして、画像の中央に位置するキーワードの重要度を高く設定したものである。
【００６７】
なお、本実施の形態では、キーワードの画像中の位置に応じてその重要度を決定する例で説明するが、キーワードの文字の大きさに応じて重要度を決定することも可能である。
【００６８】
図７は、画像情報管理テーブル管理部５０５が生成する画像情報管理テーブルの一例を示した図であり、入力部５０１で取得した画像と前記画像を取得した日時、文字情報抽出部５０３で抽出したキーワードとキーワードに応じた重要度、接続先決定部５０４で決定された接続先、前記画像を取得したときに位置検出部５１１で取得された現在位置データ、前記現在位置データに対応した位置情報記憶部５１２の位置情報とを関連付けてテーブルとして記録する。なお、一枚の画像内に複数のキーワードが存在するときは、キーワードの数だけテーブルが作成される。
【００６９】
図８は、本発明のデジタル画像から抽出したキーワードを利用して通信を行う携帯通信端末装置の記録媒体５０７に記録されている画像情報管理テーブルから、キーワードによる検索を処理する流れを示したフローチャートであり、図５、図７、図８を参照しながら、以下、その動作を説明する。
【００７０】
ステップ３−１）処理開始（図８のＳ８０１）。
【００７１】
ステップ３−２）記録媒体５０７から画像情報管理テーブルを呼び出す（図８のＳ８０２）。
【００７２】
ステップ３−３）ユーザがユーザ操作部５０８を通じて検索対象とするテーブルを選択する（図８のＳ８０３）。
【００７３】
ステップ３−４）検索対象がキーワードであればステップ３−５）を処理する。検索対象がキーワードでなければステップ３−６）を処理する（図８のＳ８０４）。
【００７４】
ステップ３−５）検索対象はキーワードであると決定し、ステップ３−１４）を処理する（図８のＳ８０５）。
【００７５】
ステップ３−６）検索対象が接続先であればステップ３−７）を処理する。検索対象が接続先でなければステップ３−８）を処理する（図８のＳ８０６）。
【００７６】
ステップ３−７）検索対象は接続先であると決定し、ステップ３−１４）を処理する（図８のＳ８０７）。
【００７７】
ステップ３−８）検索対象が取得日時であればステップ３−９）を処理する。検索対象が取得日時でなければステップ３−１０）を処理する（図８のＳ８０８）。
【００７８】
ステップ３−９）検索対象は取得日時であると決定し、ステップ３−１４）を処理する（図８のＳ８０９）。
【００７９】
ステップ３−１０）検索対象が取得場所であればステップ３−１１）を処理する。検索対象が取得場所でなければステップ３−１２）を処理する（図８のＳ８１０）。
【００８０】
ステップ３−１１）検索対象は取得場所であると決定し、ステップ３−１４）を処理する（図８のＳ８１１）。
【００８１】
ステップ３−１２）検索対象がコメントであればステップ３−１３）を処理する。検索対象がコメントでなければステップ３−３）に戻る（図８のＳ８１２）。
【００８２】
ステップ３−１３）検索対象はコメントであると決定し、ステップ３−１４）を処理する（図３のＳ８１３）
ステップ３−１４）ユーザがユーザ操作部５０８を通じて検索文字列を入力する（図８のＳ８１４）。
【００８３】
ステップ３−１５）ステップ３−３〜１３）で決定された検索対象とステップ３−１４）の検索文字列と画像情報管理テーブルとを比較し、適合した項目のリストを作成する（図８のＳ８１５）。
【００８４】
ステップ３−１６）前ステップで作成されたリストの一覧を提示部５０９で表示する（図８のＳ８１６）。
【００８５】
ステップ３−１７）前ステップで表示されたリストの一覧からユーザがユーザ操作部５０９を通じてリストの一つを選択し、選択されたキーワードに対して画像情報管理テーブルによって関連付けられている画像とその関連情報を提示部５０９で表示する（図８のＳ８１７）。
【００８６】
ステップ３−１８）処理終了（図８のＳ８１８）。
【００８７】
以上の処理により、記録媒体５０７に記録された画像情報管理テーブルから検索対象と検索文字列によって画像とその関連情報を検索することができる。
【００８８】
図９は、検索画面の一例であり、検索対象を「キーワード」、検索文字列を「株式会社」とすると、図８の処理により検索結果のリストが表示される。ここで、リストを表示する際に、前記文字情報抽出部５０３によりキーワードごとに設定された重要度の高い順に並べて表示することによって、ユーザが所望する画像をより効率的に検索することができるという効果が得られる。図９の例では、Ｐｈｏｔｏ１とＰｈｏｔｏ２の「株式会社ＡＢＣ」が検索結果として提供されているが、Ｐｈｏｔｏ１の方が重要度が高く設定してあるため、Ｐｈｏｔｏ１がＰｈｏｔｏ２よりも先に表示される。
【００８９】
次に、図１０は、図９の検索結果のリストから一つを選択したときの画面の一例であり、ユーザがリストから選択したキーワードに対して画像情報管理テーブルによって関連付けられている画像と取得日時、取得場所、コメント、接続先のデータが表示される。
【００９０】
ここで、図１０に表示された画像内のホームページアドレスをクリックすると、図４の処理によってホームページアドレスに接続し、ホームページアドレス先のデータが画像情報管理テーブルで関連付けられている接続先のデータより新しければ、前記接続先のデータを更新して図１０のＷＷＷブラウザに表示する。一方、前記ホームページアドレスのデータが前記接続先のデータと同じであれば、データを受信しない。
【００９１】
さらに、図１０に表示された画像内の電話番号をクリックすると、図４の処理に従って電話番号先に電話をかける。
【００９２】
さらに、図１０に表示された画像取得日時や画像取得場所、コメントをクリックすると、クリックされた情報を検索対象または検索文字列とし、図８の処理によって再び検索を行うことができる。
【００９３】
以上のように本実施の形態によるデジタル画像から抽出したキーワードを利用して通信を行う携帯通信端末装置において、画像とその画像に関連する情報は前記画像情報管理テーブルによって管理されているため、画像内のキーワードや画像の取得場所、取得日時などによって容易に画像を検索することができるという効果が得られる。
【００９４】
さらに、画像を表示したときに、前記画像情報管理テーブルによって関連付けられている情報も合わせて表示されるため、いつどこで取得した画像であるかを容易に想起することができるという効果が得られる。
【００９５】
（実施の形態３）
図１１は、本発明のデジタル画像から抽出したキーワード（文字情報）を利用して通信を行う携帯通信端末装置とインターネット上の共有データベースサーバとから構成されるデータ検索システムの構成図の一例を示した図である。
図１１において、
１１００は、共有データベースサーバ、
１１０１は、図５の構成を有する携帯通信端末、
１１０２は、１１０１と接続可能な通信部、
１１０３は、１１０１からのデータを共有データベースに登録する登録部、
１１０４は、１１０３からのデータを共有画像情報管理テーブルとして記録する共有データベース、
１１０５は、１１０４の共有画像情報管理テーブルから目的の情報を検索する検索部、
を示している。
【００９６】
本実施の形態では、ユーザ携帯端末等から画像データを取り込み、その画像データからインターネット等で接続できるようにキーワードになる文字情報等を抽出し、分析することにより、接続先を決定するだけでなく、上記の抽出した文字情報等を、他のユーザが利用可能になるように共有データベースとして蓄積し、提供するようにしている。
【００９７】
ここで、共有データベース１１０４に記録されている共有画像情報管理テーブルは図７と同様のテーブル構成に加え、新たに携帯通信端末１１０１の所有者情報の項目が追加された構成である。
【００９８】
図１２は、携帯通信端末１１０１内の記録媒体に記録されている画像情報管理テーブルを共有データベース１１０４内の共有画像情報管理テーブルに登録する処理の流れを示したフローチャート図であり、図５、図１１、図１２を参照しながら、以下、その動作を説明する。
【００９９】
ステップ４−１）処理開始（図１２のＳ１２０１）。
【０１００】
ステップ４−２）携帯通信端末１１０１と通信部１１０２とを接続する（図１２のＳ１２０２）。
【０１０１】
ステップ４−３）通信端末１１０１内の記録媒体５０７に記録されている画像情報管理テーブルと携帯通信端末１１０１の所有者情報を登録部１１０３に送信する（図１２のＳ１２０３）。
【０１０２】
ステップ４−４）登録部１１０３がステップ４−３）で送信されたデータを受信する（図１２のＳ１２０４）。
【０１０３】
ステップ４−５）登録部１１０３が受信した画像情報管理テーブルと所有者情報を共有データベース１１０４の共有画像情報管理テーブルに登録する（図１２のＳ１２０５）。
【０１０４】
ステップ４−６）処理終了（図１２のＳ１２０６）。
【０１０５】
以上の処理により、携帯通信端末内の画像情報管理テーブルをインターネット上の共有データベースに登録することができる。
【０１０６】
次に、図１３は、共有データベースに記録されている共有画像情報管理テーブルから目的の情報を検索し取得する処理の流れを示したフローチャート図であり、図５、図１１、図１３を参照しながら、以下、その動作を説明する。
【０１０７】
ステップ５−１）処理開始（図１３のＳ１３０１）。
【０１０８】
ステップ５−２）携帯通信端末１１０１と通信部１１０２とを接続する（図１３のＳ１３０２）。
【０１０９】
ステップ５−３）実施の形態２と同様の処理により、ユーザが取得したい画像の検索対象と検索文字列を携帯通信端末１１０１内のユーザ操作部５０８を通じて入力し、検索部１１０５に送信する（図１３のＳ１３０３）。
【０１１０】
ステップ５−４）前ステップで送信された前記検索対象と前記検索文字列を検索部１１０５が受信する（図１３のＳ１３０４）。
【０１１１】
ステップ５−５）実施の形態２と同様の処理により、共有画像情報管理テーブルから前記検索対象と前記検索文字列に適合したテーブル情報を検索する（図１３のＳ１３０５）。
【０１１２】
ステップ５−６）前ステップの検索結果を携帯通信端末１１０１に送信する（図１３のＳ１３０６）。
【０１１３】
ステップ５−７）前ステップで送信された検索結果を携帯受信端末１１０１が受信する（図１３のＳ１３０７）。
【０１１４】
ステップ５−８）検索結果を携帯通信端末１１０１内の提示部５０８で表示する（図１３のＳ１３０８）。
【０１１５】
ステップ５−９）処理終了（図１３のＳ１３０９）。
【０１１６】
以上の処理により、共有データベースに記録された共有画像情報管理テーブルを検索し、その結果を携帯通信端末で参照することができる。
【０１１７】
以上のように本発明によるデジタル画像から抽出したキーワード（文字情報）を利用して通信を行う携帯通信端末装置とインターネット上の共有データサーバとが通信回線を通じて画像情報管理テーブルを送受信することができるため、携帯通信端末内の記録媒体の記憶容量が小さい場合でも、共有データベースの記録容量が大きければ、より多くの画像とその関連情報を記録できるという効果が得られる。
【０１１８】
さらに、画像情報管理テーブルを共有することによって、他のユーザが取得した画像とその関連情報を利用することができるため、より多くの情報を得ることができるという効果が得られる。
【０１１９】
さらに、共有データベースにおける画像もまた前記画像情報管理テーブルとして記録するため、共有データベースに記録されている画像をキーワードによって容易に検索することができるという効果が得られる。
【０１２０】
（実施の形態４）
図１４は、本発明のデジタル画像から取り出したキーデータを利用して通信を行う携帯通信端末装置でのデータ検索システムの構成図の一例を示した図である。
図１４において、
１４００は、通信端末装置、
１４０１は、デジタルカメラや画像入力装置、伝送路などから画像が入力される画像入力部、
１４０２は、１４０１で入力された画像を蓄積する画像データ蓄積部、
１４０３は、１４０２に蓄積された画像データから、他の情報を検索するための検索キーデータを取り出す検索キーデータ抽出部、
１４０４は、１４０３で取り出された検索キーデータにパターンマッチングさせて接続先を決定させる検索キー予約データを蓄積する検索キー予約データ蓄積部、
１４０５は、１４０３で取り出された検索キーデータと１４０４に蓄積されている検索キー予約データとから接続先を決定し接続する自動検索接続部、
１４０６は、１４０２に蓄積された画像データに表示されているオブジェクトを分析し、１４０３で取り出す検索キーデータの重要度を判別する画像解析検索部、
１４０７は、１４０２に蓄積された画像と１４０３で取り出された検索キーデータと１４０６で判別された前記キーデータに対する重要度とを関連付けた画像検索キー関連データを作成し、管理する画像検索キー関連データ管理部、
１４０８は、通信端末が存在する場所を示す位置データを検出する位置データ検出部、
１４０９は、１４０７で作成された画像検索キー関連データと１４０８で検出された位置データを使って、ユーザにサービスを提供するサービス提供部、
１４１０は、１４０７で作成された画像検索キー関連データを、サーバにアップロードし、他のユーザからも利用可能にする画像検索キー関連データ提供部、
を示している。
【０１２１】
本実施の形態では、ユーザ携帯端末等から画像データを取り込み、その画像データからインターネット等で接続できるようにキーワードになる文字情報等を抽出し、分析することにより、接続先を決定するだけでなく、上記の抽出した文字情報等を、他のユーザが利用可能になるように共有データベースとして蓄積し、提供するようにし、接続先を決定するための検索キー予約データを使って、上記文字情報等から必要な検索キーを取り出している。
【０１２２】
次に、入力された画像から検索キーデータを抽出し、自動的に接続先に接続するまでの処理を説明する。
【０１２３】
ステップ６−１）画像入力部１４０１で画像を取り込み、画像データ蓄積部１３０２に蓄積する。
【０１２４】
ステップ６−２）検索キーデータ抽出部１４０３で、前記画像データから他の情報を検索するための検索キーデータを取り出す。
【０１２５】
ステップ６−３）自動検索接続部１４０５で、前記検索キーデータと検索キー予約データ蓄積部１４０４に蓄積されている検索キー予約データとをパターンマッチングさせ、パターンマッチした検索キー予約データに対応した接続先を決定する。
【０１２６】
ステップ６−４）前記自動検索接続部１４０５で決定された接続先に自動的に接続する。
【０１２７】
このようにして、画像から検索キーデータを取り出し、その検索キーデータに適した接続先に自動的に接続することができる。
【０１２８】
次に、画像から抽出された検索キーデータに重要度を付加し、画像検索キー関連データを作成し利用するまでの処理を説明する。
【０１２９】
ステップ７−１）画像入力部１４０１で画像を取り込み、画像データ蓄積部１３０２に蓄積する。
【０１３０】
ステップ７−２）検索キーデータ抽出部１４０３で、前記画像データから他の情報を検索するための検索キーデータを取り出す。
【０１３１】
ステップ７−３）画像解析検索部１４０６で、前記画像データに表示されているオブジェクトを分析し、検索キーデータの重要度を決定する。例えば、画像の中心に位置する検索キーデータの重要度を高くする。
【０１３２】
ステップ７−４）画像検索キー関連データ管理部１４０７で、前記画像データ、前記検索キーデータ、前記重要度、前記画像データを取得したときの位置情報を互いに関連付けて画像検索キー関連データを生成する。
【０１３３】
ステップ７−５）画像検索キー関連データ提供部１４１０から、前記生成された画像検索キー関連データを他のユーザが利用可能なサーバにアップロードする。一方、他のユーザは前記アップロードされた画像検索キー関連データをダウンロードし利用することができる。ダウンロードする際には通信端末が存在する位置データを位置データ検出部１４０８から取得し、取得した位置データに近い位置データを有している画像検索キー関連データのみをダウンロードすることや、前記重要度の高いものだけをダウンロードすることもできる。
【０１３４】
このようにして、画像に埋め込まれた検索キーデータを自動的に取り出すとともに、画像データを取得したときの位置データや、画像データに表示されているオブジェクトを分析して検索キーデータに対して重要度を決定し、それらを画像データと関連付けて画像検索キー関連データとして記録されるので、自ら画像に対するコメント等を入力しなくても、後に容易に画像データを検索することができる。
【０１３５】
さらに、画像検索キー関連データとして共通のフォーマットでサーバにアップロードすることによって、他のユーザがサーバに存在する膨大なデータの中から目的のデータをより容易に検索し、利用することができる。
【０１３６】
そして、ダウンロードした画像検索キーデータからステップ６−１〜４）の処理によって自動的に目的の接続先に接続することができる。
【０１３７】
（実施の形態５）
図１５は、本発明のデジタル画像から抽出したキーワード（文字情報）を利用して通信を行う携帯通信端末装置でのデータ検索システムの構成図の一例を示した図である。
【０１３８】
図１５において、
１５００は、通信端末装置、
１５０１は、デジタルカメラや画像入力装置、伝送路などから画像が入力される画像入力部、
１５０２は、１５０１で入力された画像を蓄積する画像データ蓄積部、
１５０３は、１５０２に蓄積された画像データから、他の情報に接続するための接続先データを取り出す接続先データ抽出部、
１５０４は、１５０３で取り出された接続先データを使って、他のデータベースに接続するデータアクセス部、
１５０５は、１５０２に蓄積された画像データに表示されているオブジェクトを分析し、１５０３で取り出す接続先データの重要度を判別する画像解析検索部、
１５０６は、１５０２に蓄積された画像と１５０３で取り出された接続先データと１５０５で判別された前記接続先データに対する重要度とを関連付けた画像検索関連データを作成し、管理する画像検索関連データ管理部、
１５０７は、通信端末が存在する場所を示す位置データを検出する位置データ検出部、
１５０８は、１５０６で作成された画像検索関連データと１５０７で検出された位置データを使って、ユーザにサービスを提供するサービス提供部、
１５０９は、１５０６で作成された画像検索キー関連データをサーバにアップロードし、他のユーザからも利用可能にする画像検索関連データ提供部、
を示している。
【０１３９】
本実施の形態では、ユーザ携帯端末等から画像データを取り込み、その画像データからインターネット等で接続できるようにキーワードになる文字情報等を抽出し、分析し、さらに、画像データに表示されているオブジェクトを分析し、接続先を重要度をつけて決めている。
【０１４０】
次に、入力された画像から接続先データを抽出し、他のデータベースに接続するまでの処理を説明する。
【０１４１】
ステップ８−１）画像入力部１５０１で画像を取り込み、画像データ蓄積部１５０２に蓄積する。
【０１４２】
ステップ８−２）接続先データ抽出部１５０３で、前記画像データから接続先データを取り出す。
【０１４３】
ステップ８−３）データアクセス部１５０３で、前記接続先データが示すデータベースに接続する。
【０１４４】
このようにして、画像に含まれている接続先データを使って、他のデータベースに接続することができる。
【０１４５】
次に、画像から抽出された接続先データに重要度を付加し、画像検索関連データを作成し利用するまでの処理を説明する。
【０１４６】
ステップ９−１）画像入力部１５０１で画像を取り込み、画像データ蓄積部１５０２に蓄積する。
【０１４７】
ステップ９−２）接続先データ抽出部１５０３で、前記画像データから接続先データを取り出す。
【０１４８】
ステップ９−３）画像解析接続部１５０５で、前記画像データに表示されているオブジェクトを分析し、接続先データの重要度を決定する。例えば、画像の中心に位置する接続先データの重要度を高くする。
【０１４９】
ステップ９−４）画像検索キー関連データ管理部１５０６で、前記画像データ、前記接続先データ、前記重要度、前記画像データを取得したときの位置情報を互いに関連付けて画像検索関連データを生成する。
【０１５０】
ステップ９−５）画像検索関連データ提供部１５０９から、前記生成された画像検索関連データを他のユーザが利用可能なサーバにアップロードする。一方、他のユーザは前記アップロードされた画像検索関連データをダウンロードし利用することができる。ダウンロードする際には通信端末が存在する位置データを位置データ検出部１３０８から取得し、取得した位置データに近い位置データを有している画像検索関連データのみをダウンロードすることや、前記重要度の高いものだけをダウンロードすることもできる。
【０１５１】
このようにして、画像に埋め込まれた接続先データを自動的に取り出すとともに、画像データを取得したときの位置データや、画像データに表示されているオブジェクトを分析して接続先データに対して重要度を決定し、それらを画像データと関連付けて画像検索関連データとして記録されるので、自ら画像に対するコメント等を入力しなくても、後に容易に画像データを検索することができる。
【０１５２】
さらに、画像検索関連データとして共通のフォーマットでサーバにアップロードすることによって、他のユーザがサーバに存在する膨大なデータの中から目的のデータをより容易に検索し、利用することができる。
【０１５３】
そして、ダウンロードした接続先データからステップ８−１〜３）の処理によって自動的に目的の接続先に接続することができる。
【０１５４】
【発明の効果】
以上のように、
第１の発明は、無線あるいは有線の通信回線を利用してデータを送受信する通信端末であって、前記通信端末は、デジタル画像を入力する入力部と、前記入力部で入力されたデジタル画像を記録する画像記録部と、前記デジタル画像が記録される記録媒体と、前記記録媒体に記録されたデジタル画像を読み出し、前記デジタル画像からキーワードとなる文字列を抽出する文字情報抽出部と、前記文字情報抽出部で抽出されたキーワードを解析し、前記キーワードが通信相手に接続するために必要な接続先情報を示しているかどうかを判断する接続先決定部と、前記デジタル画像を前記文字列情報抽出部で抽出されたキーワードと前記接続先決定部で判断された接続先情報と関連づけて管理するための画像情報管理テーブルを生成し、管理する画像情報管理テーブル管理部を有することにより、前記画像情報管理テーブルを使って、入力されたデジタル画像を画像から抽出されるキーワード、さらには、ＵＲＬアドレスや電話番号などの接続先情報と関連付けて容易に管理できるという効果が得られる。
【０１５５】
第２の発明では、前記通信端末は、さらに、前記デジタル画像から抽出されたキーワードの一覧を提示する提示部と、前記提示部に提示されたキーワード一覧から何れかのキーワードを選択するユーザ操作を受け付けるユーザ操作部と、選択されたキーワードに対する接続先情報を前記画像情報管理テーブルから取得し、取得した接続先情報を使って、通信相手に接続し、前記通信相手からデータを取得する通信部を有することにより、ユーザが接続先を指定することなく、キーワードを選択するだけで適切な接続先に接続することができるという効果が得られる。
【０１５６】
第３の発明では、前記通信端末は、前記ユーザ操作部にユーザがキー入力した検索文字列を受け付ける機能を持たせ、さらに、前記画像情報管理テーブルを使って前記検索文字列に適合するキーワードを検索する検索部を有し、さらには、前記キーワードと関連付けられているデジタル画像を取得し、提示する提示部を有することにより、前記画像情報管理テーブルによって関連付けられたキーワードに基づいて、ユーザが入力した検索文字列に適合するデジタル画像を容易に検索できるという効果が得られる。
【０１５７】
第４の発明は、本発明の通信端末とデータを送受信するデータサーバであって、前記通信端末から前記画像情報管理テーブルと前記画像情報管理テーブルにより管理されているデジタル画像を受信し、データベースに登録する登録部と、前記通信端末から検索文字列を受信し、前記検索文字列に適合するキーワード及び前記キーワードに関連付けられているデジタル画像を前記データベースに登録されている画像情報管理テーブルを使って検索する検索部を有することにより、画像を撮影したユーザ以外の他のユーザも、データサーバに登録された前記画像情報管理テーブルを利用することで、デジタル画像に関連づけられたキーワードに基づいて、デジタル画像を容易に検索、取得して閲覧でき、複数のユーザ間で画像データを容易に共有できるという効果が得られる。
【図面の簡単な説明】
【図１】本発明の第１の実施形態における携帯通信端末装置の構成図
【図２】本発明の第１の実施形態における携帯通信端末装置の記憶媒体に記録される画像情報管理テーブルのイメージ図
【図３】本発明の第１の実施形態における取得画像から画像情報管理テーブル作成処理までのフローチャート
【図４】本発明の第１の実施形態における画像情報管理テーブルから接続先の情報の取得処理までのフローチャート
【図５】本発明の第２の実施形態における携帯通信端末装置の構成図
【図６】本発明の第２の実施形態における形態通信端末装置の取得画像のイメージ図
【図７】本発明の第２の実施形態における携帯通信端末装置の記憶媒体に記録される画像情報管理テーブルのイメージ図
【図８】本発明の第２の実施形態における携帯通信端末装置の検索処理のフローチャート
【図９】本発明の第２の実施形態における携帯通信端末装置の検索画面のイメージ図
【図１０】本発明の第２の実施形態における携帯通信端末装置の検索結果画面のイメージ図
【図１１】本発明の第３の実施形態における携帯通信端末装置と共有データベースサーバによる構成図
【図１２】本発明の第３の実施形態における共有データベースサーバに画像情報管理テーブルを記録する処理のフローチャート
【図１３】本発明の第３の実施形態における共有データベースサーバに記録されている共有画像情報管理テーブルから目的の情報を検索する処理のフローチャート
【図１４】本発明の第４の実施の形態におけるデータ検索システムの通信端末装置の構成図
【図１５】本発明の第５の実施の形態におけるデータ検索システムの通信端末装置の構成図
【符号の説明】
１００、５００　通信端末
１０１、５０１　入力部
１０２、５０２　画像記憶部
１０３、５０３　文字情報抽出部
１０４、５０４　接続先決定部
１０５、５０５　画像情報管理テーブル管理部
１０６、５０６　通信部
１０７、５０７　記録媒体
１０８、５０８　ユーザ操作部
１０９、５０９　提示部
１１０、５１０　システムバス
５１１　位置検出部
５１２　位置情報記憶部
５１３　検索部
１１００　共有データベースサーバ
１１０１　通信端末
１１０２　通信部
１１０３　登録部
１１０４　共有データベース
１１０５　検索部
１４００、１５００　通信端末
１４０１、１５０１　画像入力部
１４０２、１５０２　画像蓄積部
１４０３　検索キーデータ抽出部
１４０４　検索キー予約データ蓄積部
１４０５　自動検索接続部
１４０６　画像解析検出部
１４０７　画像検索キー関連データ管理部
１４０８、１５０７　位置データ検出部
１４０９、１５０８　サービス提供部
１４１０　画像検索キー関連データ提供部
１５０３　接続先データ抽出部
１５０４　データアクセス部
１５０５　画像解析接続部
１５０６　画像検索関連データ管理部
１５０９　画像検索関連データ提供部
【図１】
2004005314.tif 000003
【図２】
2004005314.tif 000004
【図３】
2004005314.tif 000005
【図４】
2004005314.tif 000006
【図５】
2004005314.tif 000007
【図６】
2004005314.tif 000008
【図７】
2004005314.tif 000009
【図８】
2004005314.tif 000010
【図９】
2004005314.tif 000011
【図１０】
2004005314.tif 000012
【図１１】
2004005314.tif 000013
【図１２】
2004005314.tif 000014
【図１３】
2004005314.tif 000015
【図１４】
2004005314.tif 000016
【図１５】
2004005314.tif 000017